(57)【要約】【課題】  本発明は、より測定精度を向上させた多回路電力量計を提供することである。【解決手段】  本発明に係る、測定対象である交流回路１００の複数の計測点における電力量を各々計測する多回路電力量計１は、交流回路１００の電圧が複数の計測点における共通電圧として入力される共通電圧入力ポートと、複数の計測点の電流がそれぞれ入力される複数の電流入力ポートとを備え、複数の電流入力ポートの各入力を順次に切替えつつ共通電圧入力ポートの入力及び複数の電流入力ポートの入力を交互に切替えて出力する切替処理を一単位として、該一単位の切替処理を交流回路１００に流れる交流周期の半分以下の時間間隔で繰り返す入力回路切替部２０と、入力回路切替部２０から出力された共通電圧及び計測点の電流に基づいて電力を演算する電力計測部３０と、電力計測部３０の出力に基づいて複数の計測点ごとに電力量を演算する回路毎電力量演算部４０とを備える。【選択図】      図１
2005055385.tif 000002
【特許請求の範囲】
【請求項１】
測定対象である交流回路の複数の計測点における電力量をそれぞれ計測する多回路電力量計において、
各計測点の電流を順次に計測しつつ前記交流回路の電圧及び前記計測点の電流を交互に測定する測定処理を一単位として、該一単位の測定処理を前記交流回路に流れる交流周期の半分以下の時間間隔で繰り返すこと
を特徴とする多回路電力量計。
【請求項２】
測定対象である交流回路の複数の計測点における電力量をそれぞれ計測する多回路電力量計において、
前記交流回路の電圧が前記複数の計測点における共通電圧として入力される共通電圧入力ポートと、前記複数の計測点の電流がそれぞれ入力される複数の電流入力ポートとを備え、前記複数の電流入力ポートの各入力を順次に切替えつつ前記共通電圧入力ポートの入力及び前記複数の電流入力ポートの入力を交互に切替えて出力する切替処理を一単位として、該一単位の切替処理を前記交流回路に流れる交流周期の半分以下の時間間隔で繰り返す入力回路切替部と、
前記入力回路切替部から出力された共通電圧及び計測点の電流に基づいて電力を演算する電力計測部と、
前記電力計測部の出力に基づいて前記複数の計測点ごとに電力量を演算する回路毎電力量演算部とを備えること
を特徴とする多回路電力量計。
【請求項３】
前記電力計測部は、計測点の電流、及び、該計測点の電流が前記入力回路切替部より出力された時刻に隣接する時刻で出力された共通電圧に基づいて電力を演算すること
を特徴とする請求項２に記載の多回路電力量計。
【請求項４】
前記電力計測部は、計測点の電流、及び、該計測点の電流が前記入力回路切替部より出力された時刻より前に隣接する時刻で出力された共通電圧に基づいて第１電力を演算し、該計測点の電流、及び、前記計測点の電流が前記入力回路切替部より出力された時刻より後に隣接する時刻で出力された共通電圧に基づいて第２電力を演算し、
前記回路毎電力量演算部は、前記第１電力及び前記第２電力の平均をさらに演算することによって前記複数の計測点ごとに電力量を演算すること
を特徴とする請求項３に記載の多回路電力量計。
【請求項５】
前記電流入力ポートには、測定点において変流器を用いて電流を測定する電流測定回路が接続され、
前記測定点に前記変流器の電流定格に相当する電流が流れた場合に前記入力回路切替部の出力が前記電力計測部の入力ダイナミックレンジ一杯に入力されるように前記入力回路切替部の出力を増幅する増幅部をさらに備えること
を特徴とする請求項２乃至請求項４の何れか１項に記載の多回路電力量計。
【請求項６】
前記電流入力ポートには、測定点において変流器を用いて電流を測定する電流測定回路が接続され、
前記測定点に前記変流器の電流定格に相当する電流が流れた場合に前記入力回路切替部の出力の半波が前記電力計測部の入力ダイナミックレンジ一杯に入力されるように前記入力回路切替部の出力を増幅する増幅部と、
前記増幅部の出力の絶対値を出力する絶対値化部とをさらに備えること
を特徴とする請求項２乃至請求項４の何れか１項に記載の多回路電力量計。
【請求項７】
前記電流入力ポートには、測定点において変流器を用いて電流を測定する電流測定回路が接続され、
前記入力回路切替部の出力の絶対値を出力する絶対値化部と、
前記測定点に前記変流器の電流定格に相当する電流が流れた場合に前記絶対値化部の出力が前記電力計測部の入力ダイナミックレンジ一杯に入力されるように前記入力回路切替部の出力を増幅する増幅部とをさらに備えること
を特徴とする請求項２乃至請求項４の何れか１項に記載の多回路電力量計。
【請求項８】
前記回路毎電力量演算部は、前記複数の計測点ごとに前記電力計測部の出力の和を演算し、演算した和が所定値になると所定の一単位の電力量に達したとして前記所定の一単位だけ計測点の電力量をカウントアップすることによって電力量を演算すること
を特徴とする請求項２乃至請求項７の何れか１項に記載の多回路電力量計。
【請求項９】
一定期間における電力量と他の一定期間における電力量との比を前記各測定点ごとに演算し、演算結果が一定の範囲内である場合には、前記一定期間を単位として間歇的に前記入力回路切替部、前記電力計測部及び前記回路毎電力量演算部を駆動させる制御部をさらに備えること
を特徴とする請求項２乃至請求項８の何れか１項に記載の多回路電力量計。
【発明の詳細な説明】
【技術分野】
【０００１】
本発明は、測定対象である交流回路の複数の計測点における電力量をそれぞれ計測する多回路電力量計に関し、特に、測定精度を向上させた多回路電力量計に関する。
【背景技術】
【０００２】
オフィスビルや小売店舗等では、一般電気事業者の配電系統から受電設備で受電した電気を配電盤や分電盤で複数の屋内配線に分岐し、分岐した屋内配線を介して各負荷に電力を供給しているが、近年、省エネルギー等のために、様々な箇所の交流回路における消費電力量を知りたいという要請がある。この要請に応えるために、例えば、特許文献１に開示されているように、複数の交流回路の電力量をそれぞれ計測する多回路電力計と呼ばれる計測機器がある。
【０００３】
図１２は、特許文献１に記載の多回路電力量計の構成を示すブロック図である。図１２において、特許文献１に記載の多回路電力量計５００は、電圧電流検出手段５０１と、入力回路切替手段５０２と、電力量計測手段５０３と、回路毎電力量演算手段５０４とを備えて構成される。
【０００４】
電圧電流検出手段５０１は、測定対象である複数の交流回路のそれぞれについて設けられた電圧検出手段５０１ａ及び電流検出手段５０１ｂから成る回路である。入力回路切替手段５０２は、電圧電流検出手段５０１からの複数の入力を交流回路ごとに交流の特定整数周期を単位時間として順次に切替えて出力する回路である。
【０００５】
電力量計測手段５０３は、時分割手段５０３１と、時分割データ読取手段５０３２と、時分割電力量演算手段５０３３とを備えて構成され、入力回路切替手段５０２からの出力に基づいて単位時間における電力量を周期的に計測する。なお、時分割データ読取手段５０３２は、計測対象の複数の交流回路別に設けた電圧サンプルホールド回路５０３４ａ及び電流サンプルホールド回路５０３４ｂから成る電圧電流サンプルホールド回路５０３４と、マルチプレクサ５０３５と、アナログ／ディジタル変換器５０３６と、メモリ５０３７とを備えて構成される。回路毎電力量演算手段５０４は、電力量計測手段５０３で計測した単位時間における電力量を連続計測した場合の電力量に換算して交流回路ごとについての電力量を演算する回路である。
【０００６】
このような構成の多回路電力量計５００は、各交流回路について順次に、当該交流回路の電圧及び電流を交流の特定整数周期（単位時間）で検出して単位時間の電力量を演算すると共に、他交流回路の電圧及び電流を検出している間における当該交流回路の電力量がこの検出した単位時間の電力量であると擬制して連続計測した場合における電力量に換算している。例えば、第１乃至第３の３個の交流回路における各電力量を計測する場合には、多回路電力量計５００は、第１単位時間で第１交流回路の電圧及び電流を検出して電力量を計測し、第２単位時間で第２交流回路の電圧及び電流を検出して電力量を計測し、第３単位時間で第３交流回路の電圧及び電流を検出して電力量を計測する。第４単位時間では第１交流回路に戻り、以下同様に各交流回路の電力量を順次に周期的に計測する。そして、第２及び第３単位時間における第１交流回路の電力量は、第１単位時間で計測した電力量であるとみなし、第１交流回路の第１乃至第３単位時間における電力量を得ている。
【特許文献１】特開平１０−０２６６４１号公報
【発明の開示】
【発明が解決しようとする課題】
【０００７】
ところで、背景技術に係る多回路電力量計では、上述のように、各交流回路の電力量を間歇的に交流の特定整数周期で計測し、当該交流回路について計測していない期間における電力量をその計測した期間における電力量で補間することによって得ている。このため、良好な精度で各交流回路の電力量を検出するためには、交流回路の電力における変動等を考慮するために、交流の特定整数周期を交流周期の一定回数以上に亘る長期間にする必要があった。
【０００８】
本発明は、上述の事情に鑑みて為された発明であり、長期間に亘って１の交流回路の電力量を検出しなくても充分な精度で交流回路の各計測点における電力量を計測し得る多回路電力量計を提供することを目的とする。
【０００９】
さらに、本発明は、背景技術に係る多回路電力量計に較べて、より簡単な構成で、より低廉に、また、低力率であっても充分な精度で各計測点の電力量を計測し得る多回路電力量計を提供することを目的とする。
【課題を解決するための手段】
【００１０】
上述の目的を達成するために、本発明の第１の手段に係る、測定対象である交流回路の複数の計測点における電力量をそれぞれ計測する多回路電力量計は、各計測点の電流を順次に計測しつつ前記交流回路の電圧及び前記計測点の電流を交互に測定する測定処理を一単位として、該一単位の測定処理を前記交流回路に流れる交流周期の半分以下の時間間隔で繰り返す。そして、本発明の第２の手段に係る、測定対象である交流回路の複数の計測点における電力量をそれぞれ計測する多回路電力量計は、前記交流回路の電圧が前記複数の計測点における共通電圧として入力される共通電圧入力ポートと、前記複数の計測点の電流がそれぞれ入力される複数の電流入力ポートとを備え、前記複数の電流入力ポートの各入力を順次に切替えつつ前記共通電圧入力ポートの入力及び前記複数の電流入力ポートの入力を交互に切替えて出力する切替処理を一単位として、該一単位の切替処理を前記交流回路に流れる交流周期の半分以下の時間間隔で繰り返す入力回路切替部と、前記入力回路切替部から出力された共通電圧及び計測点の電流に基づいて電力を演算する電力計測部と、前記電力計測部の出力に基づいて前記複数の計測点ごとに電力量を演算する回路毎電力量演算部とを備える。
【００１１】
また、上述の多回路電力量計において、前記電力計測部は、計測点の電流、及び、該計測点の電流が前記入力回路切替部より出力された時刻に隣接する時刻で出力された共通電圧に基づいて電力を演算する。
【００１２】
さらに、上述の多回路電力量計において、前記電力計測部は、計測点の電流、及び、該計測点の電流が前記入力回路切替部より出力された時刻より前に隣接する時刻で出力された共通電圧に基づいて第１電力を演算し、該計測点の電流、及び、前記計測点の電流が前記入力回路切替部より出力された時刻より後に隣接する時刻で出力された共通電圧に基づいて第２電力を演算し、前記回路毎電力量演算部は、前記第１電力及び前記第２電力の平均をさらに演算することによって前記複数の計測点ごとに電力量を演算する。
【００１３】
そして、上述の多回路電力量計において、前記電流入力ポートには、測定点において変流器を用いて電流を測定する電流測定回路が接続され、前記測定点に前記変流器の電流定格に相当する電流が流れた場合に前記入力回路切替部の出力が前記電力計測部の入力ダイナミックレンジ一杯に入力されるように前記入力回路切替部の出力を増幅する増幅部をさらに備える。
【００１４】
また、上述の多回路電力量計において、前記電流入力ポートには、測定点において変流器を用いて電流を測定する電流測定回路が接続され、前記測定点に前記変流器の電流定格に相当する電流が流れた場合に前記入力回路切替部の出力の半波が前記電力計測部の入力ダイナミックレンジ一杯に入力されるように前記入力回路切替部の出力を増幅する増幅部と、前記増幅部の出力の絶対値を出力する絶対値化部とをさらに備える。
【００１５】
さらに、上述の多回路電力量計において、前記電流入力ポートには、測定点において変流器を用いて電流を測定する電流測定回路が接続され、前記入力回路切替部の出力の絶対値を出力する絶対値化部と、前記測定点に前記変流器の電流定格に相当する電流が流れた場合に前記絶対値化部の出力が前記電力計測部の入力ダイナミックレンジ一杯に入力されるように前記入力回路切替部の出力を増幅する増幅部とをさらに備える。
【００１６】
そして、上述の多回路電力量計において、前記回路毎電力量演算部は、前記複数の計測点ごとに前記電力計測部の出力の和を演算し、演算した和が所定値になると所定の一単位の電力量に達したとして前記所定の一単位だけ計測点の電力量をカウントアップすることによって電力量を演算する。
【００１７】
また、上述の多回路電力量計において、一定期間における電力量と他の一定期間における電力量との比を前記各測定点ごとに演算し、演算結果が一定の範囲内である場合には、前記一定期間を単位として間歇的に前記入力回路切替部、前記電力計測部及び前記回路毎電力量演算部を駆動させる制御部をさらに備える。
【発明の効果】
【００１８】
このような構成の多回路電力量計は、各計測点の電流を順次に計測しつつ交流回路の電圧及び計測点の電流を交互に測定する測定処理を一単位として、この一単位の測定処理を交流回路に流れる交流周期の半分以下の時間間隔で繰り返すので、背景技術で説明したように長期間に亘って１の計測点の電力量を検出しなくても充分な精度で各計測点の電力量を計測し得る。
【発明を実施するための最良の形態】
【００１９】
以下、本発明に係る実施形態を図面に基づいて説明する。なお、各図において同一の符号を付した構成は、同一の構成であることを示し、その説明を省略する。
（第１の実施形態）
図１は、第１の実施形態に係る多回路電力量計の構成を示すブロック図である。図２は、共通電圧測定回路の構成を示す図である。図３は、各交流回路の電流測定回路の構成を示す図である。図４は、入力回路切替部の切替動作を説明するための図である。図５は、回路毎電力量演算部の演算原理を説明するための図である。
【００２０】
図１において、多回路電力量計１は、入力回路切替部２０と、電力計測部３０と、回路毎電力量演算部４０とを備えて構成され、入力回路切替部２０には、測定対象の交流回路１００における共通電圧が共通電圧測定回路１０から入力され、交流回路１００の各計測点における電流が複数の電流測定回路１１（第１電流測定回路１１−１〜第Ｎ電流測定回路１１−Ｎ、Ｎは２以上の整数）から入力される。
【００２１】
共通電圧測定回路１０は、測定対象の交流回路１００における共通の電圧を測定し、測定した共通電圧を入力回路切替部２０に出力する回路である。共通電圧測定回路１０は、例えば、図２に示すように、交流回路１００に接続される変成器１０１と、電圧検出部１０２とを備えて構成され、電圧検出部１０２で検出した電圧が入力回路切替部２０の共通電圧入力ポートに出力される。
【００２２】
電流測定回路１１は、測定対象の交流回路１００における各計測点の電流を測定し、測定した各電流を入力回路切替部２０に出力する回路である。電流測定回路１１は、例えば、図３に示すように、交流回路１００に取り付けられる変流器１１１と、入力インピーダンス１１２と、電流検出部１１３とを備えて構成され、電流検出部１１３で検出した電流が入力回路切替部２０の電流入力ポートに出力される。
【００２３】
入力回路切替部２０は、複数の入力ポート（共通電圧入力ポート及び第１乃至第Ｎ電流入力ポート）、出力及び入力ポートと出力とを切替える切替回路を備え、複数の入力ポートからの入力を所定の順番により所定の時間間隔で切替回路によって切替えて電力計測部３０に出力する出力処理を一単位としてこの一単位の出力処理を交流回路１００の交流周期Ｔの半分以下の時間間隔（Ｔ／２以下）で繰り返す回路である。即ち、入力回路切替部２０は、複数の電流入力ポートからの入力を順次に切替えて出力しつつ共通電圧入力ポートからの入力及び電流入力ポートからの入力を交互に切替えて出力する出力処理を一単位としてこの一単位の出力処理を交流回路１００の交流周波数ｆの２倍以上の周波数（２×ｆ以上）で繰り返す回路である。交流回路１００の交流周期Ｔの半分以下の時間間隔（Ｔ／２以下）で切替えるのは、標本化定理に依る。交流回路１００の周期は、例えば交流回路１００が商用である場合には、東日本では１／５０秒（商用周波数５０Ｈｚ）であり、西日本では１／６０秒（商用周波数６０Ｈｚ）である。従って、この場合において、繰り返しの時間間隔は、東日本では１／１００秒以下であり、西日本では１／１２０秒以下である。
【００２４】
入力回路切替部２０は、図４に示すように、まず、共通電圧を測定するために（図４の（１））、共通電圧入力ポートからの入力に切替え、次に、第１電流測定回路１１−１の電流を測定するために（図４の（２））、第１電流測定回路１１−１が接続する電流入力ポートからの入力に切替える。そして、再び、共通電圧を測定するために（図４の（３））、共通電圧入力ポートからの入力に切替え、次に、第２電流測定回路１１−２の電流を測定するために（図４の（４））、第２電流測定回路２が接続する電流入力ポートからの入力に切替える。そして、再び、共通電圧を測定するために（図４の（５））、共通電圧入力ポートからの入力に切替え、次に、第３電流測定回路３の電流を測定するために（図４の（６））、第３電流測定回路１１−３が接続する電流入力ポートからの入力に切替える。以下、同様に、第Ｎ電流測定回路１１−Ｎの電流を測定するために、第Ｎ電流測定回路１１−Ｎが接続する電流入力ポートからの入力に切替えるまで、電流入力ポートからの入力を順次に切替えつつ共通電圧入力ポートからの入力と電流入力ポートからの入力とを交互に切替えて出力する。そして、共通電圧の測定と第１電流測定回路１１−１の電流の測定とに戻る。
【００２５】
このように入力回路切替部２０は、入力を切替えて出力するので、交流回路１００における各計測点の電流を順次に測定しつつ交流回路１００の共通電圧及び各計測点の電流を電力計測部３０に交互に出力する。
【００２６】
ここで、共通電圧の測定時刻（図４の（１））、第１電流測定回路１１−１の電流の測定時刻（図４の（２））、共通電圧の測定時刻（図４の（３））、第２電流測定回路１１−２の電流の測定時刻（図４の（４））、共通電圧の測定時刻（図４の（５））、第３電流測定回路１１−３の電流の測定時刻（図４の（６））、・・・、共通電圧の測定時刻、そして、第Ｎ電流測定回路１１−Ｎの電流の測定時刻における各測定時刻の時間間隔は、所定の時間、例えば約５μＳ（マイクロ秒）であり、共通電圧の測定（図４の（１））から第Ｎ電流測定回路１１−Ｎの電流の測定に至るまでを測定処理の一単位として、この一単位の繰り返しにおける時間間隔は、例えば交流回路１００の交流周期Ｔにおける十六分の一の時間Ｔ／１６である。
【００２７】
電力計測部３０は、入力回路切替部２０から出力された共通電圧及び計測点の電流に基づいて電力を演算する回路であり、データ読取部３０１と、電力演算部３０２とを備えて構成される。
【００２８】
データ読取部３０１は、入力回路切替部２０から出力された共通電圧及び計測点の電流をディジタル値に変えて一時的に記憶する回路であり、入力回路切替部２０の出力を一定時間保持する電圧電流サンプルホールド回路（以下、「電圧電流Ｓ／Ｈ」と略記する。）３０１１と、電圧電流Ｓ／Ｈ３０１１でホールドされているアナログ量をディジタル値に変換するＡ／Ｄ変換器３０１２と、Ａ／Ｄ変換器３０１２の出力を記憶するメモリ３０１３とを備えて構成される。
【００２９】
電力演算部３０２は、メモリ３０１３に記憶されている測定した共通電圧（計測共通電圧）と、該計測共通電圧の測定時刻に隣接する時刻で測定された電流（計測電流）とに基づいて電力を演算する回路である。電力演算部３０２は、例えば、マイクロコンピュータ等である。例えば、図４に示す例では、或る時刻における第１電流測定回路１１−１の電力は、図４の（１）の測定時刻に測定された共通電圧と図４の（２）の測定時刻に測定された第１電流測定回路１１−１の電流とに基づいて演算される。
【００３０】
ここで、本実施形態では、或る時刻における或る電流測定回路１１の電力を演算する場合に、先に共通電圧を測定した後にこの或る電流測定回路１１の電流を測定するように構成したが、先に或る電流測定回路１１の電流を測定した後に共通電圧を測定するように構成し、これら電流及び共通電圧に基づいてこの電流測定回路１１の電力を演算するように構成してもよい。このように共通電圧の測定時刻に隣接する時刻で測定された電流とに基づいて電力を演算するので、位相ずれによる誤差を低減することができる。特に、低力率時の誤差への影響を小さくすることができる。
【００３１】
また、測定した電流と該測定した電流の測定時刻に隣接する時刻で計測された両共通電圧（電流計測前共通電圧及び電流計測後共通電圧）とを用いて、測定した電流と電流計測前共通電圧とに基づく電力Ａ、及び、測定した電流と電流計測後共通電圧とに基づく電力Ｂ、の平均値を求め、求めた平均値を或る時刻における或る電流測定回路１１の電力Ｗとしてもよい。例えば、図４の（２）に示す計測時刻における第１電流測定回路１１−１の電力Ｗは、図４の（２）で計測した電流と図４の（１）で測定した共通電圧（電流計測前共通電圧）とに基づく電力Ａ、及び、図４の（２）で測定した電流と図４の（１）で測定した共通電圧（電流計測後共通電圧）とに基づく電力Ｂ、の平均値とする。なお、このように平均して電力を求める場合には、例えば、電力演算部３０２によって、これら電力Ａ、Ｂを求め、回路毎電力量演算部４０によって平均を求めるように構成する。このように平均の電力を求めることによって上述よりもさらに位相ずれによる誤差を低減することができる。特に、低力率時の誤差への影響を原理上無くすことができる。
【００３２】
回路毎電力量演算部４０は、電力計測部３０の出力に基づいて交流回路１００の各計測点ごとに電力量を演算する回路である。回路毎電力量演算部４０は、例えば、マイクロコンピュータ等である。図５に示すように、回路毎電力量演算部４０は、まず、電力演算部３０２の出力があるたびに交流回路１００の各計測点ごとにその和を演算する。次に、回路毎電力量演算部４０は、演算した和が所定値△Ｗであるか否かを判断する。判断の結果、回路毎電力量演算部４０は、演算した和が所定値△Ｗ未満である場合には電力演算部３０２の出力の和を演算する処理を続け、一方、演算した和が所定値△Ｗになるとカウントの単位電力Ｗの電力量が当該測定点における交流回路１００で消費されたとして、電力量を表示するカウンタ（不図示）を１カウントだけカウントアップすると共に、演算した和から所定値△Ｗを減算してから、電力演算部３０２の出力の和を演算する処理を続ける。このように回路毎電力量演算部４０は、除算を行うことなく和算及び減算によって電力計測部３０の出力に基づいて交流回路１００の各計測点ごとに電力量を演算するので、除算機能のないローコストなマイクロコンピュータで多回路電力量計１を構成することができる。
【００３３】
所定値△Ｗは、カウントの単位電力Ｗ、変流器の電流定格、交流回路１００の当該測定点におけるサンプリング周期ｔ、Ａ／Ｄ変換器３０１２の分解能（ビット数）によって決定される。例えば、カウントの単位電力Ｗ＝１Ｗｓ、変流器の電流定格５０Ａ、交流回路１００の当該測定点におけるサンプリング周期ｔ＝５００［μｓ／ｓａｍｐｌｅ］、Ａ／Ｄ変換器３０１２の分解能（ビット数）＝１０ビット＝１０２４段階（０〜１０２３）とし、交流回路１００にはＡＣ１００Ｖの交流電圧が印加されているとすると、１ビット当たりの電流は５０／１０２３［Ａ／ｂｉｔ］、１ビット当たりの電圧は１００／１０２３［Ｖ／ｂｉｔ］から１ビット当たりの電力は（５０／１０２３）×（１００／１０２３）［Ｖ・Ａ／ｂｉｔ・ｂｉｔ］、１サンプリング当たりの電力量は（５０／１０２３）×（１００／１０２３）×５００［μＷｓ／ｓａｍｐｌｅ・ｂｉｔ・ｂｉｔ］となる。よって、△Ｗは、１００００００／（（５０／１０２３）×（１００／１０２３）×５００）＝４１８６１１である。従って、この場合において、回路毎電力量演算部４０は、電力演算部３０２の出力の和が４１８６１１になるたびに、１Ｗｓの電力量が当該測定点における交流回路１００で消費されたとする。
【００３４】
なお、多回路電力量計１は、共通電圧測定回路１０及び変流器１１１を除く電流測定回路１１が組み込まれるように構成されてもよい。
【００３５】
次に、本実施形態の動作について説明する。
【００３６】
図６は、第１の実施形態に係る多回路電力量計の動作を示すフローチャートである。
【００３７】
図４及び図６において、多回路電力量計１は、例えば、計測開始押しボタンスイッチ（不図示）等によって、交流回路１００の各計測点における電力量の計測開始が指示されると、入力回路切替部２０は、共通電圧を測定すべく、共通電圧入力ポートの出力が電力計測部３０に入力されるように入力を切替える（Ｓ１１）。共通電圧入力ポートに切替えられると、電力計測部３０における電圧電流Ｓ／Ｈ３０１１で共通電圧がサンプルホールドされ（Ｓ１２）、そして、共通電圧がＡ／Ｄ変換器３０１２でディジタル化され、メモリ３０１３に記憶される（Ｓ１３、図４の（１））。
【００３８】
所定の時間、例えば約５μＳが経過すると、入力回路切替部２０は、第１電流測定回路１１−１の電流を測定すべく、第１電流入力ポートの出力が電力計測部３０に入力されるように入力が切替わる（Ｓ１４）。第１電流入力ポートに切替えられると、電力計測部３０における電圧電流Ｓ／Ｈ３０１１で第１電流測定回路１１−１の電流がサンプルホールドされ（Ｓ１５）、そして、第１電流測定回路１１−１の電流がＡ／Ｄ変換器３０１２でディジタル化され、メモリ３０１３に記憶される（Ｓ１６、図４の（２））。
【００３９】
次に、所定の時間（約５μＳ）が経過すると、入力回路切替部２０は、共通電圧を測定すべく、共通電圧入力ポートの出力が電力計測部３０に入力されるように入力が切替わる（Ｓ１７）。共通電圧入力ポートに切替えられると、電力計測部３０における電圧電流Ｓ／Ｈ３０１１で共通電圧がサンプルホールドされ（Ｓ１８）、そして、共通電圧がＡ／Ｄ変換器３０１２でディジタル化され、メモリ３０１３に記憶される（Ｓ１９、図４の（３））。
【００４０】
次に、所定の時間（約５μＳ）が経過すると、入力回路切替部２０は、第２電流測定回路１１−２の電流を測定すべく、第２電流入力ポートの出力が電力計測部３０に入力されるように入力が切替わる（Ｓ２０）。第２電流入力ポートに切替えられると、電力計測部３０における電圧電流Ｓ／Ｈ３０１１で第２電流測定回路１１−２の電流がサンプルホールドされ（Ｓ２１）、そして、第２電流測定回路１１−２の電流がＡ／Ｄ変換器３０１２でディジタル化され、メモリ３０１３に記憶される（Ｓ２２、図４の（４））。
【００４１】
以下、同様に、第Ｎ電流測定回路１１−Ｎの電流がＡ／Ｄ変換器３０１２でディジタル化され、メモリ３０１３に記憶されるまで、共通電圧の測定及び当該電流測定回路１１の電流の測定が順次に実行される（Ｓｍ）。
【００４２】
そして、電力演算部３０２は、電力計測部３０のメモリ３０１３に記憶されている共通電圧と各電流測定回路１１の電流とから各電流測定回路１１が測定する計測点における交流回路１００の電力をそれぞれ演算し、演算した第１電流測定回路１１−１の電力乃至第Ｎ電流測定回路１１−Ｎの電力を回路毎電力量演算部４０に出力する（Ｓ（ｍ＋１））。回路毎電力量演算部４０は、入力された各電力に基づいて第１電流測定回路１１−１の電力量乃至第Ｎ電流測定回路１１−Ｎの電力量を上述のようにそれぞれ積算し（Ｓ（ｍ＋２））、処理をＳ１１に戻す。
【００４３】
ここで、この第１電流測定回路１１−１の測定（Ｓ１１）から第１乃至第Ｎ電流測定回路１１の電力量の演算（Ｓ（ｍ＋２））が終了し、再び、第１電流測定回路１１−１の測定（Ｓ１１）に戻る繰り返しの周期は、交流回路１００の交流周期Ｔの半分以下、例えば、Ｔ／１６となるように設定される。このように周期的に繰り返えされることによって、第１電流測定回路１１−１から第Ｎ電流測定回路１１−Ｎまでの電力量がそれぞれ計測される。
【００４４】
このように第１の実施形態に係る多回路電力量計１は、各計測点の電流を順次に計測しつつ交流回路１００の電圧及び計測点の電流を交互に測定する測定処理を一単位として、この一単位の測定処理を交流回路１００に流れる交流周期Ｔの半分以下の時間間隔で繰り返すので、背景技術で説明したように長期間に亘って１の計測点における電力量を検出しなくても充分な精度で各計測点の電力量を計測し得る。そして、第１の実施形態に係る多回路電力量計１は、このように測定されるので、背景技術で説明したような複数の電圧電流Ｓ／Ｈを備える必要はなく、１個の電圧電流Ｓ／Ｈ３０１１でよい。さらに、第１の実施形態に係る多回路電力量計１は、背景技術で説明したような時分割手段やマルチプレクサも不要である。このため、第１の実施形態に係る多回路電力量計１は、背景技術で説明した多回路電力量計に較べて、より簡易な構成で、より低廉に製造することができる。
【００４５】
また、共通電圧の測定、第１電流測定回路１１−１の電流の測定、第１電流測定回路１１−１の電力の演算、及び、第１電流測定回路１１−１の電力量の積算を行い、次に、共通電圧の測定、第２電流測定回路１１−２の電流の測定、第２電流測定回路１１−２の電力の演算、及び、第２電流測定回路１１−２の電力量の積算を行い、・・・、そして、共通電圧の測定、第Ｎ電流測定回路１１−Ｎの電流の測定、第Ｎ電流測定回路１１−Ｎの電力の演算、及び、第Ｎ電流測定回路１１−Ｎの電力量の積算を行うように各計測点ごとに共通電圧の測定、電流測定回路１１の電流の測定、電流測定回路１１の電力の演算、及び、電流測定回路１１の電力量の積算を行う構成でもよいが、より略同時に各計測点における電力及び電力量を測定し得る観点から、本実施形態では、まず先に共通電圧及び各計測点における電流を測定し、その後に纏めて電力及び電力量を演算するように構成している。
【００４６】
ここで、例えば、交流回路１００の各計測点付近における負荷の動作状態が定常的である場合等には、計測点における一定期間の電力量に変動があまり生じない場合がある。このような場合には、各計測点における電力を連続的に計測しなくても各計測点の電力量を比較的精度よく計測することができ、また、各計測点における電力消費の傾向も知ることができる。そこで、第１の実施形態に係る多回路電力量計１を一定期間で間歇的に動作させるように構成してもよい。このような間歇動作の多回路電力計は、上述した多回路電力量計１に図１に破線で示す駆動制御部６０をさらに備えて構成される。
【００４７】
駆動制御部６０は、回路毎電力量演算部４０の出力に基づいて、一定期間における電力量と他の一定期間における電力量との比を各測定点ごとに演算し、全ての演算結果が一定の範囲内である場合には、一定期間を単位として間歇的に入力回路切替部２０、電力計測部３０及び回路毎電力量演算部４０を駆動させる回路である。一定期間は、交流回路１００に接続されている負荷の特性等を勘案して決定され、例えば、交流回路１００の交流周期の整数倍、例えば３０倍や６０倍等であり、一定の範囲は、計測する電力量に求められる精度等を勘案して決定され、例えば、一定期間における電力量と他の一定期間における電力量との比が±２％程度（普通級電力量計の基本精度（力率１、定格））である。駆動制御部６０は、例えば、マイクロコンピュータ等で構成され、もちろん、電力演算部３０２及び回路毎電力量演算部４０として機能するマイクロコンピュータと兼用されてもよい。この場合において、マイクロコンピュータは、電力演算部３０２及び回路毎電力量演算部４０としての機能は、間歇的に動作するので、電力演算部３０２及び回路毎電力量演算部４０として機能していない間は、例えば不図示の表示装置に各計測点毎の電力量を表示する場合にその更新を行う等の他の処理を行うことができる。
【００４８】
次に、別の実施形態について説明する。
（第２の実施形態）
第１の実施形態に係る多回路電力量計１は、或る定格Ｃの変流器が電流測定回路１１に用いられると想定して、この想定した定格Ｃの変流器が電流測定回路１１に用いられた場合に、電圧電流Ｓ／Ｈ３０１１の出力レンジがＡ／Ｄ変換器３０１２の入力レンジに略一杯となるように、共通電圧測定回路１０、電流測定回路１１、入力回路切替部２０及び電圧電流Ｓ／Ｈ３０１１を構成する回路素子の定数が設計される。この場合に、想定した定格Ｃの変流器が電流測定回路１１に用いられる場合には、Ａ／Ｄ変換器３０１２の分解能をフルに利用することができ、多回路電力量計１は、交流回路１００の各計測点における電力量を高精度に計測することができる。しかしながら、現実には、想定外の定格Ｄの変流器が電流測定回路１１に用いられる場合もある。第２の実施形態に係る多回路電力量計は、このような場合でも高精度に各電力量を計測することができる多回路電力計である。
【００４９】
図７は、第２の実施形態に係る変流器任意電流定格型の多回路電力量計の構成を示すブロック図である。図８は、第２の実施形態に係る変流器任意電流定格型の多回路電力量計の原理を説明するための図である。図８（Ａ）は、電流定格５０Ａの変流器が電流測定回路に用いられる場合におけるゲイン変更前後のＡ／Ｄ変換器の入力波形を示し、図８（Ｂ）は、電流定格１００Ａの変流器が電流測定回路に用いられる場合におけるＡ／Ｄ変換器の入力波形を示す。
【００５０】
図７において、第２の実施形態に係る変流器任意電流定格型の多回路電力量計２は、入力回路切替部２０と、電力計測部３０と、回路毎電力量演算部４０と、ゲイン設定部５０とを備えて構成され、入力回路切替部２０には、測定対象の交流回路１００における共通電圧が共通電圧測定回路１０から入力され、交流回路１００の各計測点における電流が複数の電流測定回路１１（第１電流測定回路１１−１〜第Ｎ電流測定回路１１−Ｎ、Ｎは２以上の整数）から入力される。そして、電力計測部３０は、ゲイン可変増幅部３０３と、データ読取部３０１と、電力演算部３０２とを備えて構成される。
【００５１】
即ち、変流器任意電流定格型の多回路電力量計２は、第１の実施形態に係る多回路電力量計１に対し、入力を所定のゲイン（利得）で増幅して出力すると共にこの所定のゲインを変更することができるゲイン可変増幅部３０３と、ゲイン可変増幅部３０３のゲインを設定するゲイン設定部５０とをさらに備え、入力回路切替部２０の出力がゲイン可変増幅部３０３を介して電力計測部３０の電圧電流Ｓ／Ｈ３０１１に入力されるように構成されている。ゲイン設定部５０は、例えば、テンキーで構成され、テンキーから入力された電流定格に対応するゲインとなるように制御信号がゲイン可変増幅部３０３に出力される。また、例えば、ゲイン設定部５０は、所定の電流定格がそれぞれ割り当てられた複数のスイッチ、例えば電流定格２５Ａ、５０Ａ、１００Ａがそれぞれ割り当てられた第１乃至第３スイッチで構成され、操作されたスイッチに割り当てられた電流定格に対応するゲインとなるように制御信号がゲイン可変増幅部３０３に出力される。また、例えば、ゲイン設定部５０は、ディップスイッチで構成され、ディップスイッチに設定された電流定格に対応するゲインとなるように制御信号がゲイン可変増幅部３０３に出力される。
【００５２】
このような変流器任意電流定格型の多回路電力量計２の作用効果について説明する。まず、電流定格１００Ａの変流器を電流測定回路１１に接続するために、ゲイン設定部５０から電流定格１００Ａが設定されると電流定格１００Ａに対応するゲインＧａｉｎ（１００）となるようにゲイン可変増幅部３０３が設定され、図８（Ｂ）の右側に示すように、変流器の１次側に電流定格の１００Ａが通電された場合に、Ａ／Ｄ変換器３０１２には、入力波形の正ピーク（入力の最大値）が略１００％ＦＳ（フルスケール）となる。このため、多回路電力量計２は、高精度に各電力量を計測することができる。即ち、Ａ／Ｄ変換器３０１２が例えば１０ビットである場合には、正側５１２段階の分解能で負側５１２段階の分解能であり略１００％ＦＳであるので、正側５１２段階のうち全５１２段階が利用される。
【００５３】
仮にこのゲイン設定部５０から電流定格１００Ａが設定されている状態で、電流測定回路１１に電流定格が半分の５０Ａである変流器が接続されたとすると、図８（Ａ）の中央に示すように、変流器の１次側に電流定格の５０Ａが通電された場合に、Ａ／Ｄ変換器３０１２には、入力波形の正ピーク（入力の最大値）が略７５％ＦＳ（フルスケール）となってしまう（変流器の変流比は同一）。このため、多回路電力量計２は、Ａ／Ｄ変換器３０１２の量子化のために精度が劣化してしまう。即ち、Ａ／Ｄ変換器３０１２が例えば１０ビットである場合には、正側５１２段階の分解能で負側５１２段階の分解能であるが、略７５％ＦＳであるので、正側５１２段階のうち略２５６段階しか利用されておらず、精度が劣化してしまう。
【００５４】
そこで、ゲイン設定部５０から電流定格５０Ａを設定し、ゲイン設定部５０からの制御信号によって電流定格５０Ａに対応するゲインＧａｉｎ（５０）となるようにゲイン可変増幅部３０３が設定され、図８（Ａ）の右側に示すように、変流器の１次側に電流定格の５０Ａが通電された場合に、Ａ／Ｄ変換器３０１２には、入力波形の正ピークが略１００％ＦＳ（フルスケール）となる。このため、第２の実施形態に係る多回路電力量計２は、電流定格１００Ａの変流器が電流測定回路１１に接続された場合と略同様な高精度で各電力量を計測することができる。
【００５５】
このようにゲイン可変増幅部３０３のゲインは、変流器に電流定格の電流が通電された場合に、入力波形の正ピークがＡ／Ｄ変換器３０１２の略１００％ＦＳ（フルスケール）となるように設定される。つまり、入力回路切替部２０の出力が電力計測部３０の入力ダイナミックレンジ一杯に入力されるようにゲイン可変増幅部３０３のゲインが決定される。例えば、上述の例では、Ｇａｉｎ（５０）＝２×Ｇａｉｎ（１００）とすると、入力波形の正ピークが略１００％ＦＳ（フルスケール）となり、Ａ／Ｄ変換器３０１２が例えば１０ビットである場合には、正側５１２段階の分解能で負側５１２段階の分解能であり略１００％ＦＳであるので、正側５１２段階のうち全５１２段階が利用される。
【００５６】
次に、別の実施形態について説明する。
（第３の実施形態）
第１及び第２の実施形態では、Ａ／Ｄ変換器３０１２の入力波形の振幅における中心をＡ／Ｄ変換器３０１２の５０％ＦＳとしているので、Ａ／Ｄ変換器３０１２の入力波形の正側及び負側は、Ａ／Ｄ変換器３０１２の半分のビット数でしか分解されない。即ち、Ａ／Ｄ変換器３０１２が例えば１０ビットである場合には、正側５１２段階の分解能で負側５１２段階の分解能である。そこで、より高精度に電力量を計測するために、第３の実施形態に係る多回路電力量計は、Ａ／Ｄ変換器３０１２の入力波形の正側及び負側がＡ／Ｄ変換器３０１２の全ビット数の１０２４段階で分解されるように構成される。
【００５７】
図９は、第３の実施形態に係るフル分解能型の多回路電力量計の構成を示すブロック図である。図１０は、ゲイン可変増幅部の出力波形、絶対値化部の出力波形及び波形極性判定部の出力における相互関係を示す図である。図１１は、フル分解能型の多回路電力量計の原理を説明するための図である。図１１（Ａ）は、フル分解能型の多回路電力量計（絶対値化部ありの場合）におけるＡ／Ｄ変換器の入力波形を示し、図１１（Ｂ）は、図１や図７に示した多回路電力計（絶対値化部なしの場合）におけるＡ／Ｄ変換器の入力波形を示す。
【００５８】
図９において、第３の実施形態に係るフル分解能型の多回路電力量計３は、入力回路切替部２０と、電力計測部３０と、回路毎電力量演算部４０と、ゲイン設定部５０とを備えて構成され、入力回路切替部２０には、測定対象の交流回路１００における共通電圧が共通電圧測定回路１０から入力され、交流回路１００の各計測点における電流が複数の電流測定回路１１（第１電流測定回路１１−１〜第Ｎ電流測定回路１１−Ｎ、Ｎは２以上の整数）から入力される。そして、電力計測部３０は、ゲイン可変増幅部３０３と、絶対値化部３０４と、波形極性判定部３０５と、データ読取部３０１と、電力演算部３０２’とを備えて構成される。
【００５９】
即ち、フル分解能型の多回路電力量計３は、第１の実施形態に係る多回路電力量計１に対し、ゲイン可変増幅部３０３と、ゲイン設定部５０と、絶対値化部３０４と、波形極性判定部３０５とをさらに備え、入力回路切替部２０の出力がゲイン可変増幅部３０３及び絶対値化部３０４を介して電力計測部３０の電圧電流Ｓ／Ｈ３０１１に入力されるように、そして、ゲイン可変増幅部３０３の出力が波形極性判定部３０５に入力されるように構成されている。
【００６０】
絶対値化部３０４は、図１０（Ａ）及び図１０（Ｂ）を見ると分かるように、入力波形、即ち、ゲイン可変増幅部３０３の出力波形のうち正側をそのままにしゲイン可変増幅部３０３の出力波形のうち負側を正側に折り返して入力波形の絶対値の波形を形成する回路である。絶対値化部３０４は、例えば、ダイオードを用いた全波整流回路で構成される。
【００６１】
波形極性判定部３０５は、図１０（Ａ）及び図１０（Ｃ）を見ると分かるように、入力波形、即ち、ゲイン可変増幅部３０３の出力波形における電気的な極性（正（＋）か負（−）か）を判定する回路であり、判定結果を電力演算部３０２’に出力する。波形極性判定部３０５は、例えば、コンパレータＩＣによって構成される。
【００６２】
電力演算部３０２’は、波形極性判定部３０５から出力される判定結果を勘案して、メモリ３０１３に記憶されている計測共通電圧と、該計測共通電圧の計測時刻に上述の時間間隔で隣接する時刻における計測電流とに基づいて電力量を演算する回路である。
【００６３】
このようなフル分解能型の多回路電力量計２の作用効果について説明する。入力回路切替部２０の出力は、ゲイン可変増幅部３０３で増幅され、絶対値化部３０４で図１０（Ｂ）や図１１（Ａ）に示すような絶対値の波形となって電圧電流Ｓ／Ｈ３０１１に出力される。このゲイン可変増幅部３０３のゲインは、ゲイン設定部５０で設定された電流定格に対応するゲインＧａｉｎであるが、絶対値化部３０４で負側が正側に折り返された絶対値の波形となるので、第２の実施形態に係る変流器任意電流定格型の多回路電力量計２の場合に較べて２倍である。即ち、ゲイン設定部５０で電流定格１００Ａが設定されるとゲイン可変増幅部３０３のゲインは、２×ゲインＧａｉｎ（１００）に設定され、ゲイン設定部５０で電流定格５０Ａが設定されるとゲイン可変増幅部３０３のゲインは、４×ゲインＧａｉｎ（１００）（＝２×Ｇａｉｎ（５０））に設定される。
【００６４】
図１１（Ａ）と図１１（Ｂ）とを比較すると分かるように、ゲイン可変増幅部３０３で第２の実施形態に係る多回路電力量計２のように電流定格に対応するゲインＧａｉｎで増幅する場合には、変流器の１次側に定格電流が通電された場合に、図１１（Ｂ）に示すように、正側の分解能及び負側の分解能は、Ａ／Ｄ変換器３０１２のビット数における半分のビット数である。例えば、Ａ／Ｄ変換器３０１２が１０ビットである場合には、入力波形は、正側５１２段階の分解能でディジタル化（量子化）され、負側５１２段階の分解能でディジタル化される。一方、本第３の実施形態に係る多回路電力量計３では、第２の実施形態に係る多回路電力量計２の場合に較べて２倍のゲインでゲイン可変増幅部３０３が増幅するので、変流器の１次側に定格電流が通電された場合に、図１１（Ａ）に示すように、入力波形は、Ａ／Ｄ変換器３０１２のビット数の分解能で分解される。例えば、Ａ／Ｄ変換器３０１２が１０ビットである場合には、入力波形は、１０２４段階のフル分解能でディジタル化（量子化）される。
【００６５】
従って、第３の実施形態に係る多回路電力量計３は、交流電流の正側及び負側に対してＡ／Ｄ変換器３０１２の全ビット数の段階の分解能でそれぞれディジタル化するので、第１及び第２の実施形態に係る多回路電力量計１、２に較べて、Ａ／Ｄ変換器３０１２に同じビット数の回路を用いたとしても、より高精度に電力量を計測することができる。
【００６６】
なお、第３の実施形態では、入力回路切替部２０の出力をゲイン可変増幅部３０３で増幅した後に絶対値化部３０４で絶対値化するように構成したが、入力回路切替部２０の出力を絶対値化部で絶対値化した後にゲイン可変増幅部で増幅するように構成してもよい。この場合では、波形極性判定部３０５には、入力回路切替部２０の出力が入力されるように構成される。
【００６７】
また、第３の実施形態では、電力測定回路１１に接続される変流器に電流定格の点で汎用性を持たせるために、ゲイン可変増幅部３０３及びゲイン設定部５０を備える場合について説明したが、電力測定回路１１に接続される変流器の電流定格を固定とする場合には、ゲイン可変増幅部３０３に代えて所定のゲインで入力を増幅する増幅回路でもよく、そのため、ゲイン設定部５０は不要となる。
【産業上の利用可能性】
【００６８】
本発明は、測定対象である複数の交流回路における電力量をより簡易な構成であって充分な精度でそれぞれ計測することができる多回路電力量計に関する。
【図面の簡単な説明】
【００６９】
【図１】第１の実施形態に係る多回路電力量計の構成を示すブロック図である。
【図２】共通電圧測定回路の構成を示す図である。
【図３】各交流回路の電流測定回路の構成を示す図である。
【図４】入力回路切替部の切替動作を説明するための図である。
【図５】回路毎電力量演算部の演算原理を説明するための図である。
【図６】第１の実施形態に係る多回路電力量計の動作を示すフローチャートである。
【図７】第２の実施形態に係る変流器任意電流定格型の多回路電力量計の構成を示すブロック図である。
【図８】第２の実施形態に係る変流器任意電流定格型の多回路電力量計の原理を説明するための図である。
【図９】第３の実施形態に係るフル分解能型の多回路電力量計の構成を示すブロック図である。
【図１０】ゲイン可変増幅部の出力波形、絶対値化部の出力波形及び波形極性判定部の出力における相互関係を示す図である。
【図１１】フル分解能型の多回路電力量計の原理を説明するための図である。
【図１２】特許文献１に記載の多回路電力量計の構成を示すブロック図である。
【符号の説明】
【００７０】
１、２、３  多回路電力量計
１０  共通電圧測定回路
１１  電流測定回路
２０  入力回路切替部
３０  電力量計測部
４０  回路毎電力量演算部
５０  ゲイン設定部
６０  駆動制御部
１００  交流回路
３０１  データ読取部３０１
３０２、３０２’  電力量演算部
３０３  ゲイン可変増幅部
３０４  絶対値化部
３０５  波形極性判定部
３０１１  電圧電流サンプルホールド回路
３０１２  アナログ／ディジタル変換器
３０１３  メモリ
【図１】
2005055385.tif 000003
【図２】
2005055385.tif 000004
【図３】
2005055385.tif 000005
【図４】
2005055385.tif 000006
【図５】
2005055385.tif 000007
【図６】
2005055385.tif 000008
【図７】
2005055385.tif 000009
【図８】
2005055385.tif 000010
【図９】
2005055385.tif 000011
【図１０】
2005055385.tif 000012
【図１１】
2005055385.tif 000013
【図１２】
2005055385.tif 000014